【手続補正書】
【提出日】平成16年3月8日(2004.3.8)
【手続補正１】
【補正対象書類名】明細書
【補正対象項目名】特許請求の範囲
【補正方法】変更
【補正の内容】
【特許請求の範囲】
【請求項１】
無端経路に沿って移動する電荷保持表面上に第一潜像を記録すること、
前記電荷保持表面上の前記第一潜像を第一ブラック現像剤で現像すること、
前記電荷保持表面及び現像した前記第一ブラック潜像の画像を再帯電すること、
少なくとも第二潜像を記録すること、
前記電荷保持表面上の第二潜像をブラックでない現像剤で現像すること、
前記電荷保持表面と、現像した前記第一ブラック潜像の画像と、前記少なくとも第二のブラックでない現像画像と、を再帯電すること、
前記電荷保持表面上に最終潜像を記録すること、
前記電荷保持表面上の前記最終潜像を第二ブラック現像剤で現像すること、
を含む、プリント装置で文書を表すイメージオンイメージプロセスカラー画像の作成方法であって、
前記第一潜像を現像することはインタラクティブな現像をすることであり、前記最終潜像を現像することは非インタラクティブな現像をすることである、イメージオンイメージプロセスカラー画像の作成方法。
【請求項２】
前記第一潜像と、前記第二潜像と、前記最終潜像と、を現像することを前記電荷保持表面の一周中に実施する、請求項１に記載の画像作成方法。
【請求項３】
文書を表すイメージオンイメージプロセスカラー画像を作成するためのプリント装置であって、
無端経路に沿って移動する電荷保持表面と、
前記電荷保持表面を帯電するための帯電ステーションと、
潜像を記録するための画像形成及び露光ステーションと、
前記電荷保持表面上に第一ブラック画像を現像するための第一現像ステーションであって、第一現像ステーションと、
第一、第二、第三のブラックでないカラー現像画像となる、第二、第三、第四潜像を前記電荷保持表面に現像するための第二、第三、第四現像ステーションと、
第五潜像を前記電荷保持表面に現像するための第五現像ステーションであって、前記第一現像画像を光沢の低いブラックトナーに用いる、第五現像ステーションと、
を備える、イメージオンイメージプロセスカラー画像を作成するためのプリント装置。
【請求項４】
文書を表すイメージオンイメージプロセスカラー画像を作成するためのプリント装置であって、
無端経路に沿って移動する電荷保持表面と、
前記電荷保持表面を帯電するための帯電ステーションと、
潜像を記録するための画像形成及び露光ステーションと、
前記電荷保持表面に第一及び最終ブラック画像を現像するための第一現像ステーションであって、前記第一及び前記最終ブラック画像は、前記電荷保持表面の異なる二周にて形成される、と、
少なくとも第二現像ステーションと、を備えるプリント装置であって、前記第二現像ステーションが、前記第一ブラック現像画像と第二ブラック現像画像との間に少なくとも一つのブラックでないカラー画像を現像するためである、
プリント装置。
【請求項５】
無端経路に沿って移動する電荷保持表面上に第一潜像を記録すること、
前記電荷保持表面上の前記第一潜像を第一ブラック現像剤で現像すること、
前記電荷保持表面及び現像した前記第一ブラック潜像の画像を再帯電すること、
少なくとも第二潜像を記録すること、
前記電荷保持表面上の第二潜像をブラックでない現像剤で現像すること、
前記電荷保持表面と、現像した前記第一ブラック潜像の画像と、前記少なくとも第二のブラックでない現像画像と、を再帯電すること、
前記電荷保持表面上に最終潜像を記録すること、
前記電荷保持表面上の前記最終潜像を第二ブラック現像剤で現像すること、
を含む、プリント装置で文書を表すイメージオンイメージプロセスカラー画像の作成方法であって、
前記第一ブラック現像剤が低光沢ブラックトナーを含む、イメージオンイメージプロセスカラー画像の作成方法。
【請求項６】
前記第二ブラック現像剤が高光沢ブラックトナーを含む、請求項５に記載の方法。
【請求項７】
文書を表すイメージオンイメージプロセスカラー画像を作成するためのプリント装置であって、
無端経路に沿って移動する電荷保持表面と、
前記電荷保持表面を帯電するための帯電ステーションと、
潜像を記録するための画像形成及び露光ステーションと、
前記電荷保持表面に第一ブラック潜像を現像するための第一現像ステーションと、
ブラックでない潜像を現像するための第二現像ステーションと、
前記電荷保持表面に最終ブラック潜像を最終現像ステーションと、
を備えるプリント装置であって、
現像された前記第一及び前記最終ブラック画像が前記文書のカラー領域の一部に含まれている、プリント装置。
【手続補正２】
【補正対象書類名】明細書
【補正対象項目名】０００６
【補正方法】変更
【補正の内容】
【０００６】
【課題を解決するための手段】
本発明の第一の態様は、無端経路に沿って移動する電荷保持表面上に第一潜像を記録すること、前記電荷保持表面上の前記第一潜像を第一ブラック現像剤で現像すること、前記電荷保持表面及び現像した前記第一ブラック潜像の画像を再帯電すること、少なくとも第二潜像を記録すること、前記電荷保持表面上の第二潜像をブラックでない現像剤で現像すること、前記電荷保持表面と、現像した前記第一ブラック潜像の画像と、前記少なくとも第二のブラックでない現像画像と、を再帯電すること、前記電荷保持表面上に最終潜像を記録すること、前記電荷保持表面上の前記最終潜像を第二ブラック現像剤で現像すること、を含む、プリント装置で文書を表すイメージオンイメージプロセスカラー画像の作成方法である。ここで、前記第一潜像を現像することはインタラクティブな現像をすることであり、前記最終潜像を現像することは非インタラクティブな現像をすることである。
さらに、請求項２に記載の画像作成方法によれば、第１の態様の方法において、前記第一潜像と、前記第二潜像と、前記最終潜像と、を現像することを前記電荷保持表面の一周中に実施する。
【手続補正３】
【補正対象書類名】明細書
【補正対象項目名】０００７
【補正方法】変更
【補正の内容】
【０００７】
本発明の第二の態様は、文書を表すイメージオンイメージプロセスカラー画像を作成するためのプリント装置である。このプリント装置は、無端経路に沿って移動する電荷保持表面と、前記電荷保持表面を帯電するための帯電ステーションと、潜像を記録するための画像形成及び露光ステーションと、前記電荷保持表面上に第一ブラック画像を現像するための第一現像ステーションであって、第一現像ステーションと、第一、第二、第三のブラックでないカラー現像画像となる、第二、第三、第四潜像を前記電荷保持表面に現像するための第二、第三、第四現像ステーションと、第五潜像を前記電荷保持表面に現像するための第五現像ステーションであって、前記第一現像画像を光沢の低いブラックトナーに用いる、第五現像ステーションと、を備える。


【手続補正４】
【補正対象書類名】明細書
【補正対象項目名】０００８
【補正方法】変更
【補正の内容】
【０００８】
本発明の第三の態様は、文書を表すイメージオンイメージプロセスカラー画像を作成するためのプリント装置である。このプリント装置は、無端経路に沿って移動する電荷保持表面と、前記電荷保持表面を帯電するための帯電ステーションと、潜像を記録するための画像形成及び露光ステーションと、前記電荷保持表面に第一及び最終ブラック画像を現像するための第一現像ステーションであって、前記第一及び前記最終ブラック画像は、前記電荷保持表面の異なる二周にて形成される、と、少なくとも第二現像ステーションと、を備える。ここで、前記第二現像ステーションは、前記第一ブラック現像画像と第二ブラック現像画像との間に少なくとも一つのブラックでないカラー画像を現像するためである。
本発明の第四の態様は、無端経路に沿って移動する電荷保持表面上に第一潜像を記録すること、前記電荷保持表面上の前記第一潜像を第一ブラック現像剤で現像すること、前記電荷保持表面及び現像した前記第一ブラック潜像の画像を再帯電すること、少なくとも第二潜像を記録すること、前記電荷保持表面上の第二潜像をブラックでない現像剤で現像すること、前記電荷保持表面と、現像した前記第一ブラック潜像の画像と、前記少なくとも第二のブラックでない現像画像と、を再帯電すること、前記電荷保持表面上に最終潜像を記録すること、前記電荷保持表面上の前記最終潜像を第二ブラック現像剤で現像すること、
を含む、プリント装置で文書を表すイメージオンイメージプロセスカラー画像の作成方法である。ここで、前記第一ブラック現像剤が低光沢ブラックトナーを含む。さらに、請求項６に記載の方法は、第四の態様において、前記第二ブラック現像剤が高光沢ブラックトナーを含む。
本発明の第五の態様は、文書を表すイメージオンイメージプロセスカラー画像を作成するためのプリント装置である。このプリント装置は、無端経路に沿って移動する電荷保持表面と、前記電荷保持表面を帯電するための帯電ステーションと、潜像を記録するための画像形成及び露光ステーションと、前記電荷保持表面に第一ブラック潜像を現像するための第一現像ステーションと、ブラックでない潜像を現像するための第二現像ステーションと、前記電荷保持表面に最終ブラック潜像を最終現像ステーションと、を備える。ここで、現像された前記第一及び前記最終ブラック画像が前記文書のカラー領域の一部に含まれている。
【手続補正５】
【補正対象書類名】明細書
【補正対象項目名】０００９
【補正方法】変更
【補正の内容】
【０００９】
【発明の実施の形態】
図１を参照すると、アクティブマトリックス（ＡＭＡＴ）受光体ベルト１０（無端経路の例）の電荷保持面を使用する静電複写装置が図示されている。該受光体ベルトはローラー１４、１６、１８によって支持されている。モーター２０はローラー１４の回転を操作し、これによって次に該受光体が矢印１２で示された方向へ移動し、該受光体は様々なゼログラフィックステーションを順次通過する。